(57)【要約】【課題】容器内に収納した氷の冷気により、種々の活魚を常に冷却し、さらに、容器内の水の揺れ、跳ね返りを抑えて活魚の傷付きを防止する活魚の輸送用容器を提供する。【解決手段】容器部１は、上方に開口部１ａを有し、生きた状態の活魚２が水３と共に収納される。中蓋５は、収容される氷６が上面７から落ちないように上面７を囲う囲い８を有する。中蓋用支え部９は、周壁２１の内側１０に設けられ、上蓋４の下方において中蓋５を所定の高さ１１に支える。落し蓋１２は、水３の上に浮上される。エアポンプ１４は、電池１３により駆動され外部１５から空気１６を供給する。空気供給管１７は、エアポンプ１４から供給された空気１６を水３に供給する。活魚２は氷６による冷気を伴って常に保冷された状態での輸送が可能であり、輸送中の水３の揺れが最小限度に抑えられ、活魚２の傷付きが防止され、活魚２は新鮮のまま輸送することができる。【選択図】                図１
2004267032.tif 000002
【特許請求の範囲】
【請求項１】
上方に開口部を有し、生きた状態の活魚が水と共に収納される容器部と、
前記開口部を密閉する上蓋と、
上面に氷を載せ、前記氷が前記上面から落ちないように前記上面を囲う囲いを有する中蓋と、
前記開口部の周壁内側に設けられ、前記上蓋の下方において前記中蓋を支える中蓋用支え部と、
前記水の上に浮上される落し蓋と、
電池と共に前記容器部に収納され、前記電池により駆動され外部から空気を供給するエアポンプと、
前記エアポンプから供給された前記空気を前記水に供給する空気供給管と、から成ることを特徴とする活魚の輸送用容器。
【請求項２】
前記氷からの冷気が通過する通気孔が前記中蓋に設けられ、前記冷気は前記通気孔を通過して、下方の空気及び／又は前記水を冷却する請求項１記載の活魚の輸送用容器。
【請求項３】
前記中蓋を通過した前記冷気が通過する通気孔が前記落し蓋に設けられ、前記冷気は前記落し蓋を通過して前記水を冷却する請求項１記載の活魚の輸送用容器。
【請求項４】
前記電池の代わりに交流電源を用いる請求項１記載の活魚の輸送用容器。
【請求項５】
前記空気供給管の先端には、前記空気を前記水に分散する空気分散器が設けられる請求項１記載の活魚の輸送用容器。
【請求項６】
前記容器、前記上蓋、前記中蓋、および前記落し蓋は、発泡樹脂から成る請求項１記載の活魚の輸送用容器。
【発明の詳細な説明】
【０００１】
【発明の属する技術分野】
本発明は、ボタンエビ、伊勢えび、シマエビ、アカエビ、カニなどの各種海老類や甲殻類、タイやヒラメ、フグなどの魚類、アワビやサザエのような貝類などからなる活魚を、生きた状態で輸送する活魚の輸送用容器に関する。
【０００２】
【従来の技術】
従来、例えば、特開平７−１６０３７号公報（特許文献１）に示されるボタンエビ、伊勢えび、タイ、ヒラメ、フグ等の活魚を生きた状態で輸送する活魚の輸送用容器は、容器内の水を縦に仕切り水面上を開放状態にて活魚を収納していた。
【０００３】
【特許文献１】
特開平７−１６０３７号公報（段落番号０００９、図２）
【０００４】
【発明が解決しようとする課題】
そこで、本発明は、容器内に収納した氷の冷気により、種々の活魚を常に冷却し、さらに、容器内の水の揺れ、跳ね返りを抑えて活魚の傷付きを防止する活魚の輸送用容器を提供することを目的とする。
【０００５】
【課題を解決するための手段】
請求項１の本発明は、上方に開口部を有し、生きた状態の活魚が水と共に収納される容器部と、
前記開口部を密閉する上蓋と、
上面に氷を載せ、前記氷が前記上面から落ちないように前記上面を囲う囲いを有する中蓋と、
前記開口部の周壁内側に設けられ、前記上蓋の下方において前記中蓋を支える中蓋用支え部と、
前記水の上に浮上される落し蓋と、
電池と共に前記容器部に収納され、前記電池により駆動され外部から空気を供給するエアポンプと、
前記エアポンプから供給された前記空気を前記水に供給する空気供給管と、から成ることを特徴とする活魚の輸送用容器である。
【０００６】
請求項２の本発明は、前記氷からの冷気が通過する通気孔が前記中蓋に設けられ、前記冷気は前記通気孔を通過して、下方の空気及び／又は前記水を冷却する請求項１記載の活魚の輸送用容器である。
請求項３の本発明は、前記中蓋を通過した前記冷気が通過する通気孔が前記落し蓋に設けられ、前記冷気は前記落し蓋を通過して前記水を冷却する請求項１記載の活魚の輸送用容器である。
【０００７】
請求項４の本発明は、前記電池の代わりに交流電源を用いる請求項１記載の活魚の輸送用容器である。
請求項５の本発明は、記空気供給管の先端には、前記空気を前記水に分散する空気分散器が設けられる請求項１記載の活魚の輸送用容器である。
請求項６の本発明は、前記容器、前記上蓋、前記中蓋、および前記落し蓋は、発泡樹脂から成る請求項１記載の活魚の輸送用容器である。
【０００８】
請求項１の本発明によれば、図１から図９に示されるように、容器部１は、上方に開口部１ａを有し、生きた状態の活魚２が水３と共に収納される。  図１０、図１１に示される上蓋４は、容器部１の開口部１ａ及び１ｂを密閉する。中蓋５は、図１２に示されるように、氷６が上面７から落ちないように上面７を囲う囲い８を有する。図１〜図８に示されるように、中蓋用支え部９は、周壁２１の内側１０に設けられ、上蓋４の下方において中蓋５を所定の高さ１１に支える。図１３に示される落し蓋１２を、図５、図７に示されるように、水３の上に浮上される。
このため、水３の揺れ、跳ね上がりが防止される。
エアポンプ１４は、電池１３と共に容器部１の開口部１ｂに収納され、電池１３により駆動され外部１５から空気１６を供給する。空気供給管１７は、エアポンプ１４から供給された空気１６を水３に供給する。
さらに、上蓋４は、容器部１の開口部１ａ及び１ｂを密閉する。
このため、活魚２は氷６による冷気を伴って常に保冷された状態で輸送が可能である。又、輸送中の水３の揺れが最小限度に抑えられ、活魚２の傷付きが回避される。
【０００９】
請求項２の本発明によれば、図５、図７、図１２に示されるように、中蓋５の上面７に収納される氷６から発生する図示されない冷気は、中蓋５に設けられる通気孔１８を通過して、容器部１に収納される水３が冷却される。
このため、活魚２はさらに効果的に冷却され、保冷される。
請求項３の本発明によれば、図５、図７、図１３に示されるように、中蓋５を通過した図示されない冷気は、落し蓋１２に設けられる通気孔１９を通過して、容器部１に収納される水３が冷却される。
このため、活魚２はさらに効果的に冷却され、保冷される。
請求項４の本発明によれば、電池１３の代わりに交流電源を用いる場合もあり、長時間、使用する場合に適する。
【００１０】
請求項５の本発明によれば、空気供給管１７の先端には、空気１６を水３に分散する空気分散器２０が設けられ、空気１６を水３内に効果的に分散させる。
このため、活魚２の鮮度が保たれる。
請求項６の本発明によれば、容器部１、上蓋４、中蓋５、および落し蓋１２は、発泡樹脂から成るため、軽量に構成され、強度も十分である。又、保冷性も優れる。
このため、輸送に便利で、長期間の使用に耐えられる。又、長時間活魚２の鮮度が保たれる。
【００１１】
【発明の実施の形態】
図１から図９に示されるように、容器部１は、上方に開口部１ａを有し、生きた状態の活魚２が水３と共に収納される。  図１０、図１１に示される上蓋４は、容器部１の開口部１ａ及び電池１３を含むエアポンプ１４を収納する開口部１ｂとを夫々密閉する。  図５、図７、図１１に示される中蓋５は、上面７の氷６から生じる図示されない冷気が通過する通気孔１８が設けられ、中蓋５の下方の空気１６及び／又は容器部１に収納される水３が冷却される。通気孔１８の形状、位置，数は限定されない。又、氷６が上面７から落ちないように上面７を囲う囲い８を有する。このため、活魚２は効果的に冷却され、保冷される。
次に、図１３に示される落し蓋１２を、図５、図７に示されるように、水３の上に浮かすことが好適である。これにより、水３の揺れ、跳ね上がりを最少限度に抑えることができる。
このため、活魚２の傷付きが防止され、鮮度が保たれる。さらに、水３の跳ね上がりに伴う電池１３への水３の掛かりが防止され，エアポンプ１４の突発的な停止も回避できる。落し蓋１２は、氷６から生じる図示されない冷気及び／又は容器部１の空気１６が通過する通気孔１９が設けられ、水３が冷却される。落し蓋１２に設けられる通気孔１９の形状、位置，数は限定されない。
このため、活魚２はさらに効果的に冷却され、保冷される。
電池１３は、開口部１ｂに収納される。また、電池１３の代わりに交流電源を用いる場合もある。エアポンプ１４は、電池１３と共に開口部１ｂに収納され、電池１３により駆動され外部１５から空気１６を供給する。空気供給管１７は、エアポンプ１４から供給された空気１６を水３に供給する。  さらに、空気供給管１７の先端には、空気１６を水３に分散する空気分散器２０が設けられる。エアポンプ１４、及び電池１３の容量は、容器部１に収容される水３、又は活魚２の量により、限定されない。
このため、活魚２は水３の酸欠状態が防止され、鮮度が保たれる。
上記の実施例において、容器部１、上蓋４、中蓋５、および落し蓋１２は、好適には発泡樹脂から成るが、軽量で、強度を有し、耐水性、保冷性が優れれば良く、材質は限定されない。
【００１２】
【発明の効果】
本発明は、以上説明したように、収納される氷の冷気により保冷され、又、落し蓋により水の揺れ、跳ね上がりが最少限度に抑えられることによる活魚の傷付きが回避され、活魚を新鮮のまま輸送することができる。
【図面の簡単な説明】
【図１】本発明の一実施の形態の分解斜視図である。
【図２】図１の実施の形態を構成する容器部の平面図である。
【図３】図２のＡ視断面図である。
【図４】水、氷、活魚、エアポンプが装着された状態の図１の実施の形態を構成する容器部の平面図である。
【図５】図４のＣ視断面図である。
【図６】図１の実施の形態を構成する容器部の側面図である。
【図７】図４のＢ視断面図である。
【図８】図１の実施の形態を構成する容器部の正面断面図である。
【図９】図１の実施の形態を構成する容器部の底面図である。
【図１０】図１の実施の形態を構成する上蓋の平面図である。
【図１１】図１１（ａ）は図１０の裏面図である。
図１１（ｂ）は図１０のＤ視断面図である。
図１１（ｃ）は図１０のＥ視断面図である。
【図１２】図１２（ａ）は図１の実施の形態を構成する中蓋の平面図である。
図１２（ｂ）は図１の実施の形態を構成する中蓋のＦ視断面図である。
図１２（ｃ）は図１の実施の形態を構成する中蓋のＧ視断面図である。
【図１３】図１３（ａ）は図１の実施の形態を構成する落し蓋の平面図である。
図１３（ｂ）は図１の実施の形態を構成する落し蓋のＨ視断面図である。
【符号の説明】
１  容器部      １ａ，１ｂ  開口部      ２  活魚      ３  水
４  上蓋            ５  中蓋          ６  氷        ７  上面
８  囲い                ９  中蓋用支え部      １０    周壁の内側
１１    支え部の高さ    １２  落し蓋          １３  電池
１４    エアポンプ      １５  外部            １６    空気
１７    空気供給管      １８  中蓋の通気孔    １９  落し蓋の通気孔
２０    空気分配器      ２１  周壁
【図１】
2004267032.tif 000003
【図２】
2004267032.tif 000004
【図３】
2004267032.tif 000005
【図４】
2004267032.tif 000006
【図５】
2004267032.tif 000007
【図６】
2004267032.tif 000008
【図７】
2004267032.tif 000009
【図８】
2004267032.tif 000010
【図９】
2004267032.tif 000011
【図１０】
2004267032.tif 000012
【図１１】
2004267032.tif 000013
【図１２】
2004267032.tif 000014
【図１３】
2004267032.tif 000015